(57)【要約】【課題】  サンプリングした測定水を受入れるところに滴下ノズルを配置すると共に、排水するところに滴下ノズルを配置した構造にすることで、外部で発生している電気ノイズを遮断した状態で測定水の残留塩素濃度を測定できる残留塩素計及びその測定方法を提供する。【解決手段】残留塩素計は、サンプリングされた測定水を溜める第１の一時貯留室を備え、この第１の一時貯留室に貯留された測定水を滴下させる第１の滴下手段を備えた第１のオーバーフローヘッドタンク部と、滴下手段により滴下させた測定水を溜める第２の一時貯留室を備え、この第２の一時貯留室に貯留された測定水を電極が配置している測定室に供給する測定水導入手段を備えた第２のオーバーフローヘッドタンク部と、測定水導入手段により供給された測定水を溜めた測定室で、電極に電圧を印加して残留塩素状態を電気的に検出する測定手段を備えた電極セル部と、測定室に溜めた測定水を滴下させる第２の滴下手段を備えたフットタンク部と、を備えたことである。【選択図】  図１
2005043292.tif 000002
【特許請求の範囲】
【請求項１】
サンプリングされた測定水を一時貯留する第１ステップ、
前記貯留した測定水を滴下手段を介して滴下させ、該滴下した測定水を一時貯留する第２ステップ、
前記第２ステップにより一時貯留した測定水を測定室に供給すると共に測定室にて電極に電圧を印加して残留塩素状態を電気的に検出する第３ステップ、
前記測定室に溜めた測定水を滴下手段を介して滴下させる第４ステップ、
前記滴下した測定水を外部に排水させる第５ステップ、
からなる残留塩素測定方法。
【請求項２】
前記第１ステップ及び第２ステップには、一時貯留した測定水が洩れた分を外部に排出する排出手段を備えたことを特徴とする請求項１に記載の残留塩素測定方法。
【請求項３】
前記第２ステップ及び第４ステップの滴下手段は、滴下ノズルにより形成されるとともに、この滴下ノズルの数を求められる流量に応じて増減させたことを特徴とする請求項１または２に記載の残留塩素測定方法。
【請求項４】
サンプリングされた測定水を溜める第１の一時貯留室を備え、該第１の一時貯留室に貯留された測定水を滴下させる第１の滴下手段を備えた第１のオーバーフローヘッドタンク部と、
前記第１の滴下手段により滴下させた測定水を溜める第２の一時貯留室を備え、該第２の一時貯留室に貯留された測定水を電極が配置している測定室に供給する測定水導入手段を備えた第２のオーバーフローヘッドタンク部と、
前記測定水導入手段により供給された測定水を溜めた測定室で、電極に電圧を印加して残留塩素状態を電気的に検出する測定手段を備えた電極セル部と、
前記測定室に溜めた測定水を滴下させる第２の滴下手段を備えたフットタンク部と、
を備えたことを特徴とする残留塩素計。
【請求項５】
前記第１のオーバーフローヘッドタンク部は、前記第１の一時貯留室から溢れた測定水を外部に排出する排出手段を備えたことを特徴とする請求項４に記載の残留塩素計。
【請求項６】
前記第２のオーバーフローヘッドタンク部は、前記第２の一時貯留室から溢れた測定水を外部に排出する排出手段を備えたことを特徴とする請求項４または５に記載の残留塩素計。
【請求項７】
前記第１および第２の滴下手段は、滴下ノズルにより形成されるとともに、この滴下ノズルの数を求められる流量に応じて増減させたことを特徴とする請求項４乃至６のいずれかに記載の残留塩素計。
【発明の詳細な説明】
【技術分野】
【０００１】
本発明は、残留塩素測定方法及び残留塩素計に関し、詳しくは電極が配置されている測定セル部を改良した残留塩素測定方法及び残留塩素計に関する。
【背景技術】
【０００２】
従来技術における残留塩素計は、図２に示すように、サンプリングした測定水を一時貯留室に溜め、洩れた測定水を排出するオーバーフローヘッドタンク部１１１と、オーバーフローヘッドタンク部１１１からの測定水を測定室１３４に導入して電極への電圧の印加状態で測定水に含まれている残留塩素を測定する電極セル部１３１と、電極に供給する電圧及び供給する電圧で測定水に含まれている塩素の残留濃度を測定する測定部１５１とからなる。
【０００３】
オーバーフローヘッドタンク部１１１は、サンプリングした測定水を導入する導入口１１２と、導入口１１２から導入された測定水を一時貯留する一時貯留室１１３と、一時貯留室１１３に貯留された測定水の洩れたぶんを受入れる排出室１１４と、排出室１１４に溜まっている測定水を外部に排出する排出口１１５とからなる。
【０００４】
電極セル部１３１は、オーバーフローヘッドタンク部１１１の一時貯留室１１３に貯留されている水圧がかかっている測定水を導出する測定水導入孔１３２と、測定水導入孔１３２の出口部分に設けられ一時貯留室１１３からの測定水の水量を制御する固定弁の制御弁１３３と、制御弁１３３で制御された測定水を受入れる測定室１３４と、測定室１３４に受入れた測定水を外部に排出する排出口１３５とを備えている。
そして、この測定室１３４内には、上下方向に対極１３６と作用極１３８が対峙した状態で配置され、その対峙されている中間位置に比較極１３７が配置された構成になっている。
これらの対極１３６、作用極１３８、比較極１３７は測定部１５１に接続され、測定部１５１にてこれら電極に印加する電圧によって測定水に含まれている残留塩素の濃度を測定する。
【０００５】
このような構造の電極セル部１３１を備えた残留塩素計において、先ず、直接にサンプリングされた上下水等の測定水をオーバーフローヘッドタンク部１１１の一時貯留室１１３に入れ、水位を決めると共に、水位によって決まった水圧で電極セル部１３１に測定水導入孔１３２を介して一定流速の測定水を測定室１３４に導入する。そして、測定室１３４で測定後、排出口１３５から測定水を排出する。
電極セル部１３１では、比較極１３７―作用極１３８間の電圧が一定になるように、対極１３６―作用極１３８間に電圧をかけ、電極間に流れる電流（＝作用極表面の拡散電流）を測定する。電流値と塩素濃度との相関により、残留塩素濃度を測る。
【０００６】
【特許文献１】特開２００３−９８１４３号公報（第２頁  第１図）
【発明の開示】
【発明が解決しようとする課題】
【０００７】
しかし、従来技術で説明した残留塩素計は、サンプリングした測定水及び排水は、直接に引き込み或いは直接に排出するため、サンプリングした測定水を導入から排出までの測定水が連続した、所謂、オンラインの如く連続した状態を形成する。そのため、他の測定器やポンプ等の電気ノイズを含んだ状態となり、対極、作用極、比較極の測定電極に直接ノイズが乗り、測定値に支障をきたすという問題がある。
【０００８】
又、オーバーフローヘッドタンク部の一時貯留室で水位を決定するが、上流の水圧の変動により、例えば、最大５ｍｍ程度の水位の変動が起きる。この水位が変動すると電極セル部の測定水の流速も変動し、そのぶん拡散電流が変動する。拡散電流の変動はそのまま測定誤差になってしまうという問題もある。
【０００９】
従って、サンプリングした測定水に乗ってくるノイズをカット或いは軽減することにより、安定した残留塩素濃度の測定を実現すること、及び電極セル部上流の水圧の変動に対して，電極セル部内の測定水の流速を一定にすることにより、安定した残留塩素濃度の測定を実現することに解決しなければならない課題を有する。
【課題を解決するための手段】
【００１０】
このような課題を達成するために、本発明の残留塩素測定方法及び残留塩素計は次に示す構成にすることである。
【００１１】
（１）残留塩素測定方法は、サンプリングされた測定水を一時貯留する第１ステップ、前記貯留した測定水を滴下手段を介して滴下させ、該滴下した測定水を一時貯留する第２ステップ、前記第２のステップにより一時貯留した測定水を測定室に供給すると共に測定室にて電極に電圧を印加して残留塩素状態を電気的に検出する第３ステップ、前記測定室に溜めた測定水を滴下手段を介して滴下させる第４ステップ、前記滴下した測定水を外部に排水させる第５ステップ、からなる。
（２）前記第１ステップ及び第２ステップには、一時貯留した測定水が洩れた分を外部に排出する排出手段を備えたことを特徴とする（１）に記載の残留塩素測定方法。
（３）前記第２ステップ及び第４ステップの滴下手段は、滴下ノズルにより形成されるとともに、この滴下ノズルの数を求められる流量に応じて増減させたことを特徴とする（１）または（２）に記載の残留塩素測定方法。
【００１２】
（４）残留塩素計は、サンプリングされた測定水を溜める第１の一時貯留室を備え、該第１の一時貯留室に貯留された測定水を滴下させる第１の滴下手段を備えた第１のオーバーフローヘッドタンク部と、前記第１の滴下手段により滴下させた測定水を溜める第２の一時貯留室を備え、該第２の一時貯留室に貯留された測定水を電極が配置している測定室に供給する測定水導入手段を備えた第２のオーバーフローヘッドタンク部と、前記測定水導入手段により供給された測定水を溜めた測定室で、電極に電圧を印加して残留塩素状態を電気的に検出する測定手段を備えた電極セル部と、前記測定室に溜めた測定水を滴下させる第２の滴下手段を備えたフットタンク部と、を備えたことである。
（５）前記第１のオーバーフローヘッドタンク部は、前記第１の一時貯留室から溢れた測定水を外部に排出する排出手段を備えたことを特徴とする（４）に記載の残留塩素計。
（６）前記第２のオーバーフローヘッドタンク部は、前記第２の一時貯留室から溢れた測定水を外部に排出する排出手段を備えたことを特徴とする（４）または（５）に記載の残留塩素計。
（７）前記第１および第２の滴下手段は、滴下ノズルにより形成されるとともに、この滴下ノズルの数を求められる流量に応じて増減させたことを特徴とする（４）乃至（６）のいずれかに記載の残留塩素計。
【発明の効果】
【００１３】
以上説明したことから明らかなように、本発明によれば、サンプリングする測定水を滴下手段を介して電極セル部に供給するようにしたことで、サンプリングした測定水に乗ってくるノイズをカット或いは軽減することにより、安定した残留塩素濃度の測定を実現できる。
セル上流の水圧の変動に対して、電極セル内の測定水の流速を一定にすることにより、安定した残留塩素濃度の測定を実現する。
【発明を実施するための最良の形態】
【００１４】
以下、本発明の残留塩素測定方法及び残留塩素計の実施形態を、図面を用いて詳細に説明する。
【実施例１】
【００１５】
本願発明の残留塩素測定方法を具現化できる残留塩素計は、図１に示すように、サンプリングされた測定水を溜める第１の一時貯留室１３を備え、この第１の一時貯留室１３に貯留された測定水を滴下ノズル１６ａ、１６ｂを介して滴下させる第１の滴下手段を備えた第１のオーバーフローヘッドタンク部１１と、第１の滴下手段により滴下させた測定水を溜める第２の一時貯留室２２を備え、この第２の一時貯留室２２に貯留された測定水を、電極が配置している測定室３４に供給する測定水導入手段を備えた第２のオーバーフローヘッドタンク部２１と、測定水導入手段により供給された測定水を溜めた測定室３４で、電極に電圧を印加して残留塩素状態を電気的に検出する測定手段を備えた電極セル部３１と、測定室３４に溜めた測定水を滴下ノズル４３ａ、４３ｂを介して滴下させる第２の滴下手段を備えたフットタンク部４１と、から構成されている。
滴下ノズル１６ａ、１６ｂは、滴下による飛沫・結露を防止するため疎水性の材料で形成することが好ましい。こうすることで、滴下による飛沫や結露が生じることによる絶縁劣化の要因を取り除くことができる。また、滴下ノズルの数は、求められる流量に応じて増減されるものである。
【００１６】
第１のオーバーフローヘッドタンク部１１は、サンプリングされた測定水を入力する導入口１２を備え、この導入口１２から導入された測定水は第１の一時貯留室１３に貯留される。そして、この第１の一時貯留室１３を溢れた測定水は第１の排出室１４に流され、第１の排出室１４の底部に連通した排出口１５を通って外部に流される構造となっている。同時に、第１の一時貯留室１３の底部には滴下ノズル１６ａ、１６ｂが設けられ、第１の一時貯留室１３に貯留されている測定水を第２のオーバーフローヘッドタンク部２１に滴下させて供給する。こうすることで、サンプリングした測定水との連続性が断たれ、サンプリングした水路に発生している様々な電気ノイズを遮断することができると共に、第１の一時貯留室１３の水圧による電極の拡散電流の変動を防止することができるのである。
【００１７】
第２のオーバーフローヘッドタンク部２１は、第１のオーバーフローヘッドタンク部１１の滴下ノズル１６ａ、１６ｂから滴下する測定水を貯留すると共に底部に測定水導入孔３２に連通した第２の一時貯留室２２と、この第２の一時貯留室２２を溢れた測定水を一時貯留する第２の排出室２３と、この第２の排出室２３の底部に連通した排出口２４と、からなり、第２の一時貯留室２２から溢れた測定水が第２の排出室２３に留まりながら排出手段である排出口２４を通じて外部に排出される。
このように、サンプリングした測定水を直接に測定室３４に供給するのではなく、滴下ノズル１６ａ、１６ｂを介して一度第２の一時貯留室２２に溜めるようにしたことで、測定水を取り込むときに発生する変動を滴下ノズル１６ａ、１６ｂで排除することができ、第２の一時貯留室２２に溜める測定水は常に一定の水位をもって溜めることができ、そのぶん測定室３４への供給は一定の無変動の状態で測定水を供給することができるのである。
【００１８】
電極セル部３１は、第２の一時貯留室２２の底部から測定室３４に連通した測定水導入孔３２と、測定水導入孔３２の出口部分に設けられ第２の一時貯留室２２からの測定水の水量を制御する固定弁の制御弁３３と、制御弁３３で制御された測定水を受入れる測定室３４と、測定室３４に受入れた測定水を外部に排出する排出口３５とを備えている。
そして、この測定室３４内には、上下方向に対極３６と作用極３８が対峙した状態で配置され、その対峙されている中間位置に比較極３７が配置された構成になっている。
これらの対極３６、作用極３８、比較極３７は測定部５１に接続され、測定部５１にてこれら電極に印加する電圧によって測定水に含まれている残留塩素の濃度を測定する。
【００１９】
フットタンク部４１は、排出口３５に連通した排水貯留室４２と、この排水貯留室４２の底部に設けた滴下ノズル４３ａ、４３ｂと、滴下ノズル４３ａ、４３ｂを介して測定水を貯留する滴下排水貯留室４４と、この滴下排水貯留室４４に貯留されている測定水を外部に排出する排出口４５とからなる。
【００２０】
このような構造のサンプリングした測定水を受入れるには滴下ノズル１６ａ、１６ｂを介在させて受入れ、排出するときには滴下ノズル４３ａ、４３ｂを介在させて排出させるようにしたことで、サンプリングする側で発生している電気ノイズ等を滴下ノズル１６ａ、１６ｂで遮断し、排出するときには、外部の排出側で発生している電気ノイズ等を滴下ノズル４３ａ、４３ｂで遮断することができ、測定室３４内で測定する電極への影響を遮断することができる。
【００２１】
又、サンプリングした測定水は、貯留して直接測定室３４に供給するのではなく、滴下ノズル１６ａ、１６ｂを介して滴下した測定水を第２の一時貯留室２２に溜めてから、一定の水位にした状態で測定室３４に供給するようにしたことで、サンプリングしたときの測定水の変動を滴下ノズル１６ａ、１６ｂで排除することで、第２の一時貯留室３４に溜める測定水の水位を常に一定にした状態で測定室３４に供給することが可能になり、常に一定の流速による測定が可能になる。
【産業上の利用可能性】
【００２２】
サンプリングする測定水を滴下手段を介して電極セル部に供給するようにしたことで、サンプリングした測定水に乗ってくるノイズをカット或いは軽減することにより、安定した残留塩素濃度の測定を実現でき、又、セル上流の水圧の変動に対して、電極セル内の測定水の流速を一定にすることにより、安定した残留塩素濃度の測定を実現する。
【図面の簡単な説明】
【００２３】
【図１】本願発明の残留塩素計の構造を示した説明図である。
【図２】従来技術における残留塩素計の構造を示した説明図である。
【符号の説明】
【００２４】
１１      第１のオーバーフローヘッドタンク部
１２      導入口
１３      第１の一時貯留室
１４      第１の排出室
１５      排出口
１６ａ    滴下ノズル
１６ｂ    滴下ノズル
２１      第２のオーバーフローヘッドタンク部
２２      第２の一時貯留室
２３      第２の排出室
２４      排出口
３１      電極セル部
３２      測定水導入孔
３３      制御弁
３４      測定室
３５      排出口
３６      対極
３７      比較極
３８      作用極
４１      フットタンク部
４２      排水貯留室
４３ａ    滴下ノズル
４３ｂ    滴下ノズル
４４      滴下排水貯留室
４５      排出口
５１      測定部。
【図１】
2005043292.tif 000003
【図２】
2005043292.tif 000004